(57)【要約】      （修正有）【課題】簡易な構造で安価に製造することにより、ほぼ全世帯に所有させることができ、かつ、災害時に住民が家屋などから脱出済みであることを迅速に示すことができる表示体を提供する。【解決手段】災害時に用いられる表示体１において、家屋から脱出済みであることを標記した表面を有する基部２と、該基部の一部に設けられた家屋６のドア７への取付手段とを備え、家屋から住民が脱出する際に、取付手段によって、基部の表面を表にした状態で前記ドアの表側に取り付けられるようにした。【選択図】図５
2008292668.tif 000002
【特許請求の範囲】
【請求項１】
家屋から脱出済みであることを標記した表面を有する基部と、該基部の一部に設けられた前記家屋のドアへの取付手段とを備え、前記家屋から住民が脱出する際に、前記取付手段によって、前記基部の表面を表にした状態で前記ドアの表側に取り付けられることを特徴とする災害時に用いる表示体。
【請求項２】
前記取付手段は、前記基部の裏面に設けられた磁石を備え、該磁石の吸着力によって、前記基部が磁性体の前記ドアに取り付けられる請求項１に記載の表示体。
【請求項３】
前記基部は、裏面に形成された係合穴の内側面に雌ネジ溝を有するとともに、前記磁石は、側面に前記雌ネジ溝と螺合する雄ネジ溝を有し、前記基部と前記磁石とは、前記雌ネジ溝と前記雄ネジ溝との締結により着脱可能に結合された請求項２に記載の災害時に用いる表示体。
【請求項４】
前記基部は、裏面に穿設されたネジ穴を有するとともに、前記磁石は、前記ネジ穴に螺合するネジが挿通されるネジ挿通孔を有し、前記基部と前記磁石とは、前記ネジと前記ネジ穴との締結により着脱可能に結合された請求項２に記載の災害時に用いる表示体。
【請求項５】
前記取付手段は、前記基部に穿設された貫通孔と、該貫通孔に通されたリング状の紐とを備え、前記紐が前記ドアの表側に設けられている突起物に掛けられることによって、前記基部が前記ドアに取り付けられる請求項１に記載の災害時に用いる表示体。
【請求項６】
前記取付手段は、前記基部の上部に設けられた係止部を備え、該係止部が前記ドアの表側に設けられている突起物に係止されることによって、前記基部が前記ドアに取り付けられる請求項１に記載の災害時に用いる表示体。
【請求項７】
前記取付手段は、前記基部の上部に設けられたフック部を備え、該フック部が前記ドアの表側に設けられている突起物に掛けられることによって、前記基部が前記ドアに取り付けられる請求項１に記載の災害時に用いる表示体。
【請求項８】
前記取付手段は、前記基部の裏面に設けられた磁石と、前記基部に穿設された貫通孔と、該貫通孔に通されたリング状の紐とを備え、前記ドアが磁性体の場合には、前記磁石の吸着力によって前記基部が前記ドアに取り付けられ、一方、前記ドアが非磁性体の場合には、前記紐が前記ドアの表側に設けられている突起物に掛けられることによって、前記基部が前記ドアに取り付けられる請求項１に記載の災害時に用いる表示体。
【請求項９】
前記取付手段は、前記基部の裏面に設けられた磁石と、前記基部の上部に設けられた係止部とを備え、前記ドアが磁性体の場合には、前記磁石の吸着力によって前記基部が前記ドアに取り付けられ、一方、前記ドアが非磁性体の場合には、前記係止部が前記ドアの表側に設けられている突起物に係止されることによって、前記基部が前記ドアに取り付けられる請求項１に記載の災害時に用いる表示体。
【請求項１０】
前記取付手段は、前記基部の裏面に設けられた磁石と、前記基部の上部に設けられたフック部とを備え、前記ドアが磁性体の場合には、前記磁石の吸着力によって前記基部が前記ドアに取り付けられ、一方、前記ドアが非磁性体の場合には、前記フック部が前記ドアの表側に設けられている突起物に掛けられることによって、前記基部が前記ドアに取り付けられる請求項１に記載の災害時に用いる表示体。
【請求項１１】
前記基部は、裏面に形成された係合穴の内側面に雌ネジ溝を有するとともに、前記磁石は、側面に前記雌ネジ溝と螺合する雄ネジ溝を有し、前記基部と前記磁石とは、前記雌ネジ溝と前記雄ネジ溝との締結により着脱可能に結合された請求項８ないし１０のいずれかに記載の災害時に用いる表示体。
【請求項１２】
前記基部は、裏面に穿設されたネジ穴を有するとともに、前記磁石は、前記ネジ穴に螺合するネジが挿通されるネジ挿通孔を有し、前記基部と前記磁石とは、前記ネジと前記ネジ穴との締結により着脱可能に結合された請求項８ないし１０のいずれかに記載の災害時に用いる表示体。
【請求項１３】
前記紐は、不燃性素材からなる請求項５または８に記載の災害時に用いる表示体。
【請求項１４】
前記突起物は、前記ドアのドアノブである請求項５ないし１３のいずれかに記載の災害時に用いる表示体。
【請求項１５】
前記基部は、耐熱性素材からなる請求項１ないし１４のいずれかに記載の災害時に用いる表示体。
【請求項１６】
前記基部は、温度変化に応じて可逆的に変色する性質を具備した変色部を表面の一部に有する請求項１ないし１５のいずれかに記載の災害時に用いる表示体。
【請求項１７】
平時には前記ドアの裏側に取り付けられている請求項１ないし１６のいずれかに記載の災害時に用いる表示体。
【発明の詳細な説明】
【技術分野】
【０００１】
本発明は、災害時に用いる表示体に関し、より詳細には、家屋から住民が脱出する際にドアの表側に取り付けられる表示体に関する。
【背景技術】
【０００２】
日本のような地震多発国では、大規模な震災がいつ発生してもおかしくない状況である。このような大震災時には、火災などによる二次災害を防止するために、初期段階として迅速な脱出および救出が求められる。
【０００３】
ところが、近年の高度経済成長に伴って急増しているマンションなどの集合住宅では、地震等の災害により建物が倒壊した場合に、救出する側の人（レスキュー隊、消防隊など）が、「どこの部屋に取り残されている人がいるのか」ということを短時間で認識することができない、という問題があった。そのため、救出する側の人は、一部屋ずつ回って被災者が残っているのか否かを確認する作業を要してしまい、迅速な救出作業を行うのが困難であった。
【０００４】
例えば、１９９５年に発生した阪神・淡路大震災（兵庫県南部地震）では、倒壊した家屋などに取り残された多くの人を救出しきれずに、その後発生した火災によって多数の犠牲者を生じてしまった。すなわち、震災などの大災害時には、倒壊家屋の外部にいる救出する側の人が、家屋などから脱出できていない世帯を短時間で認識できることが最重要課題である。
【０００５】
そこで、このような課題を解決するものとして、例えば、特許文献１に開示される居場所検索システム、あるいは特許文献２に開示される行方不明者の検出システムが知られている。
【０００６】
上記特許文献１の居場所検索システムでは、ＧＰＳ人工衛星からの電波により自身（対象者）の位置を検出し、無線交信により探索者側装置にその情報を伝達して位置情報を表示することにより、対象者の居場所を容易かつ迅速に探索できるようになっている。
【０００７】
一方、上記特許文献２の検出システムでは、微弱で単一周波数の信号を発信する発信器を、アクセサリーに組み込んだり、アクセサリー状等に形成して常時身体に付けておくことができるように形成して災害時の検出器としている。
【０００８】
【特許文献１】特開平９−２５１０６９号公報
【特許文献２】特開平９−１０２０８２号公報
【発明の開示】
【発明が解決しようとする課題】
【０００９】
しかしながら、上記特許文献１や上記特許文献２に記載される、電波を送信あるいは受信することができる携帯端末は、必ずしも安価なものではないため、住民全員に所有を促すことは困難であった。
【００１０】
また、上記特許文献１および上記特許文献２に記載される、電波を送受信することにより対象者の位置を検出するシステムは、大災害時に発生する電波障害などによって使用できなくなってしまう虞があった。
【００１１】
さらに、上記特許文献１および上記特許文献２のような携帯端末の場合、平常時には家屋内の目に付き難い場所、例えば押入れや引き出し等に収納されてしまうのが一般的であり、緊急を要する災害時に収納場所から即座に取り出して使用するのが困難になってしまう虞もあった。
【００１２】
したがって、災害時の救助活動では、安価で全世帯に所有を促すことができ、災害現場で救助する側の人が、家屋などから脱出できていない世帯を短時間で認識することができる手段が求められていた。
【００１３】
そこで、本発明は、上記事情に鑑みてなされたものであり、その目的とするところは、簡易な構造で安価に製造することにより、ほぼ全世帯に所有させることができ、かつ、災害時に住民が家屋などから脱出済みであることを迅速に示すことができる表示体を提供することにある。
【課題を解決するための手段】
【００１４】
本発明の上記目的は、災害時に用いられる表示体において、家屋から脱出済みであることを標記した表面を有する基部と、該基部の一部に設けられた前記家屋のドアへの取付手段とを備え、前記家屋から住民が脱出する際に、前記取付手段によって、前記基部の表面を表にした状態で前記ドアの表側に取り付けられることにより、達成される。
【００１５】
また、上記目的は、前記取付手段が、前記基部の裏面に設けられた磁石を備え、該磁石の吸着力によって、前記基部が磁性体の前記ドアに取り付けられることにより、効果的に達成される。
【００１６】
また、上記目的は、前記基部が、裏面に形成された係合穴の内側面に雌ネジ溝を有するとともに、前記磁石が、側面に前記雌ネジ溝と螺合する雄ネジ溝を有し、前記基部と前記磁石とが、前記雌ネジ溝と前記雄ネジ溝との締結により着脱可能に結合されたことにより、効果的に達成される。
【００１７】
また、上記目的は、前記基部が、裏面に穿設されたネジ穴を有するとともに、前記磁石が、前記ネジ穴に螺合するネジが挿通されるネジ挿通孔を有し、前記基部と前記磁石とが、前記ネジと前記ネジ穴との締結により着脱可能に結合されたことにより、効果的に達成される。
【００１８】
また、上記目的は、前記取付手段が、前記基部に穿設された貫通孔と、該貫通孔に通されたリング状の紐とを備え、前記紐が前記ドアの表側に設けられている突起物に掛けられることによって、前記基部が前記ドアに取り付けられることにより、効果的に達成される。
【００１９】
また、上記目的は、前記取付手段が、前記基部の上部に設けられた係止部を備え、該係止部が前記ドアの表側に設けられている突起物に係止されることによって、前記基部が前記ドアに取り付けられることにより、効果的に達成される。
【００２０】
また、上記目的は、前記取付手段が、前記基部の上部に設けられたフック部を備え、該フック部が前記ドアの表側に設けられている突起物に掛けられることによって、前記基部が前記ドアに取り付けられることにより、効果的に達成される。
【００２１】
また、上記目的は、前記取付手段が、前記基部の裏面に設けられた磁石と、前記基部に穿設された貫通孔と、該貫通孔に通されたリング状の紐とを備え、前記ドアが磁性体の場合には、前記磁石の吸着力によって前記基部が前記ドアに取り付けられ、一方、前記ドアが非磁性体の場合には、前記紐が前記ドアの表側に設けられている突起物に掛けられることによって、前記基部が前記ドアに取り付けられることにより、効果的に達成される。
【００２２】
また、上記目的は、前記取付手段が、前記基部の裏面に設けられた磁石と、前記基部の上部に設けられた係止部とを備え、前記ドアが磁性体の場合には、前記磁石の吸着力によって前記基部が前記ドアに取り付けられ、一方、前記ドアが非磁性体の場合には、前記係止部が前記ドアの表側に設けられている突起物に係止されることによって、前記基部が前記ドアに取り付けられることにより、効果的に達成される。
【００２３】
また、上記目的は、前記取付手段が、前記基部の裏面に設けられた磁石と、前記基部の上部に設けられたフック部とを備え、前記ドアが磁性体の場合には、前記磁石の吸着力によって前記基部が前記ドアに取り付けられ、一方、前記ドアが非磁性体の場合には、前記フック部が前記ドアの表側に設けられている突起物に掛けられることによって、前記基部が前記ドアに取り付けられることにより、効果的に達成される。
【００２４】
また、上記目的は、前記基部が、裏面に形成された係合穴の内側面に雌ネジ溝を有するとともに、前記磁石は、側面に前記雌ネジ溝と螺合する雄ネジ溝を有し、前記基部と前記磁石とが、前記雌ネジ溝と前記雄ネジ溝との締結により着脱可能に結合されたことにより、効果的に達成される。
【００２５】
また、上記目的は、前記基部が、裏面に穿設されたネジ穴を有するとともに、前記磁石は、前記ネジ穴に螺合するネジが挿通されるネジ挿通孔を有し、前記基部と前記磁石とが、前記ネジと前記ネジ穴との締結により着脱可能に結合されたことにより、効果的に達成される。
【００２６】
また、上記目的は、前記紐が、不燃性素材からなることにより、効果的に達成される。
【００２７】
また、上記目的は、前記突起物が、前記ドアのドアノブであることにより、効果的に達成される。
【００２８】
また、上記目的は、前記基部が、耐熱性素材からなることにより、効果的に達成される。
【００２９】
また、上記目的は、前記基部が、温度変化に応じて可逆的に変色する性質を具備した変色部を表面の一部に有することにより、効果的に達成される。
【００３０】
さらに、上記目的は、前記表示体が平時には前記ドアの裏側に取り付けられていることにより、効果的に達成される。
【発明の効果】
【００３１】
本発明に係る表示体によれば、家屋から脱出済みであることを標記した基部に、磁石、紐、係止部、またはフック部を設けるだけの簡単な構造になっているため、安価に製造することができ、ほぼ全世帯に所有させて広く普及させることができる。各世帯の住民が、通常時は家屋のドアの裏側などに取り付けられているこの表示体を、災害時に家屋から脱出する際にドアの表側に取り付けることにより、家屋の外にいる救助する側の人は、各世帯の住民が既に脱出済みであるか否かを短時間で認識することができる。この結果、救助する側の人は、この表示体がドアの表側に取り付けられていない世帯を容易に見つけ出し、家屋などから脱出できていない住民の救出活動を迅速に行うことができ、より多くの住民を救出することができる。
【００３２】
また、本発明に係る表示体によれば、家屋のドアが鉄金属などの磁性体である場合の取付手段として、磁石を基部の裏面に設けるとともに、家屋のドアが非磁性体である場合の取付手段として、紐、係止部、またはフック部を基部の一部に設けることにより、ドアが磁性体ではない場合であっても、紐、係止部、またはフック部をドアノブなどの突起物に係合させることにより、表示体をドアの表側に容易に取り付けることができる。
【００３３】
また、本発明に係る表示体によれば、表示部である基部と家屋のドアへの貼着部である磁石とが、熱に弱い接着剤等による接着ではなく螺合によって結合され、かつ、基部の素材には耐熱性素材が用いられていることにより、家屋内で火災などが生じてドアの温度が上昇しても、基部と磁石との結合を維持することができ、耐熱性に優れた表示体を低コストで提供することができる。
【００３４】
さらに、本発明に係る表示体によれば、温度変化に応じて変色する性質を具備した変色部が基部の表面に設けられていることにより、救助する側の人は、火災などが生じて室内温度が上昇している家屋を短時間で認識することができ、そのような家屋の近隣でドアの表側にまだ表示体が貼着されていない家屋の住民、すなわち火災による危険が差し迫っている被災者を優先的に救出することができる。
【発明を実施するための最良の形態】
【００３５】
以下、図面を参照にしながら本発明の実施形態について説明する。
【００３６】
［第１実施形態］
図１は、本発明の第１実施形態に表示体の表側を示す平面図であり、かつ、図２は、図１の表示体の裏側を示す平面図である。
【００３７】
本実施形態に係る表示体１は、約１５ｃｍ四方の耐熱性素材より形成された基部２と、該基部２の裏面に取り付けられ、家屋のドア等への貼着部として機能する円柱形状の磁石３とから構成されている。この基部２の表面の上半部には、家屋から脱出済みであること示す標記Ｘが設けられ、『脱出済』、『避難済』、『ＥＳＣＡＰＥＤ』などの文言が記載されている。また、この基部２の表面の下半部には、この表示体１を所有する住民が属する行政上の区画名や地方公共団体名などが記載された標記Ｙが設けられている。この標記Ｘおよび標記Ｙが設けられている標記部４の背色は、黄色や赤色といった隠蔽力の弱い鮮やかな色になっている。なお、本実施形態では、表示体１の形状は、成形性や加工性を考慮して矩形としているが、これに限定されず、例えば直径１５ｃｍ程度の円形、あるいは同程度の大きさを有する三角形や多角形であってもよい。
【００３８】
図３は、図２のIII−III線に沿った表示体の断面図である。同図において、磁石３の周側面下部には、雄ネジ溝３ａが形成されている。一方、基部２の裏面中央部には、磁石３と係合する有底孔の係合穴２ａが形成され、該係合穴２ａの内周面には、雄ネジ溝３ａと螺合する雌ネジ溝２ｂが形成されている。そして、磁石３は、上面中央部に形成されたプラス溝３ｂに差し込まれるドライバなどの工具によって、基部２の係合穴２ａに螺合される。なお、本実施形態では、磁石３の上面中央部に形成された溝３ｂは、プラス・ドライバ用の溝になっているが、これに限定されず、例えばマイナス・ドライバ用のマイナス溝、あるいは六角レンチ用の六角穴などでもよい。
【００３９】
また、基部２の表面（図３下側）は、上述した標記部４と、該標記部４の周囲に配設された変色部５とを備えている。この変色部５は、温度変化に応じて可逆的に変色する性質を有する熱可逆性変色膜などによって構成され、例えば家屋内で火災などが生じてドアの温度が上昇している場合に、その温度が磁石３および基部２を介して伝達され、所定の温度で変色し（例えば、６０℃前後で白色から黄色に変色）、一方、温度が下降した場合には、上記所定の温度で元の色に戻るようになっている。このような性質を有するサーモクロミック素材として、例えば、二酸化バナジウム、金属錯体（ニッケル等）、液晶材料、ＰＮＩＰＡＭ（ポリＮ−イソプロピルアミド）などを含有させた混合材料を、変色部５の熱可逆性変色膜に適用することができる。
【００４０】
また、基部２を構成する素材は、耐熱性および耐久性に優れた低コストな素材であることが好ましい。このような素材として、例えば、フェノール樹脂、ポリカーボネート、メラミン樹脂等の合成樹脂、あるいは陶磁器等のセラミックス材料などが適用可能である。
【００４１】
なお、本実施形態では、変色部５は、上述した混合材料によって形成された熱可逆性変色膜で構成されるとしたが、これに限定されず、例えば基部２を形成する際に、その基材である合成樹脂に上述した混合材料を混入して、変色部５を形成するようにしてもよい。
【００４２】
図４は、本発明の実施形態に係る表示体がドアの裏側に取り付けられた通常時の状態を示す説明図であり、図５は、本発明の実施形態に係る表示体がドアの表側に取り付けられた脱出済の状態を示す説明図である。
【００４３】
本実施形態に係る表示体１は、図４に示すように、通常時（平時）においては、磁石３の吸着力によって、家屋６の鉄金属などの磁性体からなるドア７の裏側に貼着されている。そして、震災などの災害が発生し、家屋６の住民が脱出する場合には、図５に示すように、基部２の表面を表にした状態で表示体１がドア７の表側に貼着される。このように、住民が既に脱出済みである家屋６のドア７の表側に表示体１が貼着されることにより、救助に駆けつけたレスキュー隊員などは、この表示体１がドア７の表側に貼着されていない世帯を容易に見つけ出し、家屋から脱出できていない住民の救出活動を迅速に行うことができ、より多くの住民を二次災害から救出することができる。よって、本実施形態に係る表示体１は、震災などの災害時における人命救助の際に有用であり、特に、どの部屋に未脱出の住民がいるのかを認識し難い、マンションなどの集合住宅における人命救助の際に有用である。
【００４４】
以上のように、本実施形態に係る表示体１では、ドア７への貼着手段である磁石３が基部２に螺合によって取り付けられているので、家屋６内で火災などが生じてドア７の温度が上昇しても、基部２と磁石３との結合力を維持することができる。すなわち、本実施形態に係る表示体１は、基部２と磁石３との結合手段に熱に弱い接着剤等を用いていないので、家屋６内で火災が生じた場合にも剥がれ落ちることなくドア７への貼着を維持することができる。
【００４５】
また、本実施形態に係る表示体１では、磁石３と基部２に形成された係合穴２ａとを直接螺合させる結合構造になっているので、部品点数の削減を図ることができ、表示体１の組立作業性を向上させることができる。
【００４６】
また、本実施形態に係る表示体１では、温度変化に応じて変色する性質を有する変色部５が基部２の表面に設けられているので、救助する側の人は、この変色部５の変色の有無を確認することにより、火災などが生じて室内温度が上昇している家屋を短時間で認識することができる。
【００４７】
［第２実施形態］
図６は、本発明の第２実施形態に係る表示体の裏側を示す平面図であり、かつ、図７は、図６中のVII−VII線に沿った表示体の断面図である。なお、本実施形態において、上述した第１実施形態と同一の部材には同一の符号を付して、その説明を省略する。
【００４８】
これらの図において、本実施形態に係る表示体１Ａの磁石３Ａは、ネジ８の締結によって基部２Ａに取り付けられている。磁石３Ａの中央部には、ネジ８が挿通されるネジ挿通孔３Ａｃが穿設され、一方、基部２Ａの上面中央部にはネジ８が締結されるネジ穴２Ａｃが形成されている。なお、ネジ挿通孔３Ａｃの上部には、ネジ８の頭部が埋没されるフランジ部３Ａｄが形成されている。また、ネジ８の頭部上面には、締結用のドライバなどの工具が差し込まれるプラス溝８ａが形成されている。
【００４９】
そして、ネジ挿通孔３Ａｃに挿通されたネジ８は、該ネジ８のプラス溝８ａに差し込まれる工具によってネジ穴２Ａｃに締結され、これにより、磁石３Ａと基部２Ａとが結合されるようになっている。
【００５０】
以上のように、本実施形態に係る表示体１Ａでは、ネジ８とネジ穴２Ａｃとの螺合によって、基部２Ａと磁石３Ａとが結合されて構造になっているので、温度が上昇に伴う結合力の劣化を抑制することができる耐熱構造を備えている。この結果、本実施形態に係る表示体１Ａにおいても、第１実施形態と同様の作業効果を得ることができる。
【００５１】
［第３実施形態］
図８は、本発明の第３実施形態に係る表示体の表側を示す平面図であり、図９は、図８の表示体がドアの表側に取り付けられた脱出済の状態を示す説明図である。なお、本実施形態において、上述した第１または第２実施形態と同一の部材には同一の符号を付して、その説明を省略する。
【００５２】
本実施形態に係る表示体１Ｂは、基部２Ｂの上部に穿設された貫通孔９と、該貫通孔９に通されたリング状の紐１０とを備え、該紐１０がドア７Ｂの表側に設けられているドアノブ１１などの突起物に掛けられることによって、基部２Ｂの表面（標記部４）を表にした状態でドア７Ｂに取り付けられるようになっている。なお、図示されていないが、基部２Ｂの裏面には、第１実施形態と同様の磁石３が取り付けられている。また、紐１０は、耐熱性、耐熱性に優れた繊維素材、あるいは合成繊維素材などからなり、少なくとも一般的なドアノブ１１に掛けることが可能な長さを有している。
【００５３】
以上のような構成からなる本実施形態に係る表示体１Ｂでは、ドア７Ｂが磁石３の吸着力を適用できない非磁性体の場合でも、紐１０をドアノブ１１に掛けることによって基部２Ｂをドア７Ｂの表側に取り付けることができる。すなわち、本実施形態に係る表示体１Ｂによれば、簡単な構成からなるドアノブ１１への取付手段を設けたことにより、上述した第１実施形態と同様の作用効果が得られることはもとより、ドア７Ｂが磁性体であるか否かに関わらず、基部２Ｂの標記部４を表にした状態でドア７Ｂの表側に取り付けることができるので、ドアノブ１１などの突起物を有するドアであれば、あらゆる種類のドアに取り付けることができる。
【００５４】
なお、本実施形態に係る表示体１Ｂでは、基部２Ｂの裏面に磁石３が設けられているものとしたが、これに限定されず、非磁性体のドアへの取付を対象とするのであれば、基部２Ｂの裏面に磁石３が設けられていなくてもよい。
【００５５】
［第４実施形態］
図１０は、本発明の第４実施形態に係る表示体の表側を示す平面図であり、図１１は、図１０の表示体がドアの表側に取り付けられた脱出済の状態を示す説明図である。なお、本実施形態において、上述した第１ないし第３実施形態と同一の部材には同一の符号を付して、その説明を省略する。
【００５６】
本実施形態に係る表示体１Ｃは、基部２Ｃの上部に設けられた係止部１２を備え、該係止部１２がドア７Ｃの表側に設けられているドアノブ１１などの突起物に係止されることによって、基部２Ｃの表面（標記部４）を表にした状態でドア７Ｃに取り付けられるようになっている。なお、図示されていないが、基部２Ｃの裏面には、第１実施形態と同様の磁石３が取り付けられている。
【００５７】
ドア７Ｃへの取付手段である係止部１２は、中央部の穿設された挿通孔１３と、該挿通孔１３の周縁から適度な角度間隔で外径方向に放射状に形成された複数のスリット１４と、該複数のスリット１４により形成された複数の係止片１５とを備え、該係止片１５の基端となる外円１６は、少なくとも一般的なドアノブ１１よりも大径になっている。このような構成により、挿通孔１３の径がドアノブの最小径部である軸部の直径より小さい場合でも、係止片１５を押し分けて、挿通孔１３内にドアノブ１１を挿通することができる。また、ドアノブ１１が係止部１２に挿通されると、各係止片１５が弾性力によってドアノブ１１の軸部などを押圧するので、表示体１Ｃをドアノブ１１に強固に係止することができる。
【００５８】
なお、係止片１５を含む係止部１２を形成する素材は、優れた耐熱性、耐久性および弾性を備えた平板形状のものであることが好ましく、基部２Ｃの基材と一体に形成されたものであってもよい。
【００５９】
以上のような構成からなる本実施形態に係る表示体１Ｃでは、ドア７Ｃが磁石３の吸着力を適用できない非磁性体の場合でも、基部２Ｂの上部に設けられた係止部１２をドアノブ１１に係止することによって、基部２Ｃをドア７Ｃの表側に取り付けることができる。すなわち、本実施形態に係る表示体１Ｃによれば、簡単な構成からなるドアノブ１１への取付手段を設けたことにより、上述した第１実施形態と同様の作用効果が得られることはもとより、ドア７Ｃが磁性体であるか否かに関わらず、基部２Ｃの標記部４を表にした状態でドア７Ｃの表側に取り付けることができるので、ドアノブ１１などの突起物を有するドアであれば、あらゆる種類のドアに取り付けることができる。
【００６０】
なお、本実施形態に係る表示体１Ｃでは、基部２Ｃの裏面に磁石３が設けられているものとしたが、これに限定されず、非磁性体のドアへの取付を対象とするのであれば、基部２Ｃの裏面に磁石３が設けられていなくてもよい。
【００６１】
［第５実施形態］
図１２は、本発明の第５実施形態に係る表示体の表側を示す平面図であり、図１３は、図１２の表示体がドアの表側に取り付けられた脱出済の状態を示す説明図である。なお、本実施形態において、上述した第１ないし第４実施形態と同一の部材には同一の符号を付して、その説明を省略する。
【００６２】
本実施形態に係る表示体１Ｄは、基部２Ｄの上部に設けられたフック部１７を備え、該フック部１７がドア７Ｄの表側に設けられているドアノブ１１などの突起物に掛けられることによって、基部２Ｄの表面（標記部４）を表にした状態でドア７Ｄに取り付けられるようになっている。なお、図示されていないが、基部２Ｄの裏面には、第１実施形態と同様の磁石３が取り付けられている。
【００６３】
ドア７Ｄへの取付手段であるフック部１７は、アーム形状の部材であり、このアーム形状によって形成される中空部１８は、少なくとも一般的なドアノブ１１の大きさよりも大きく、該中空部１８にドアノブ１１が挿通されることにより、表示体１Ｄがドア７Ｄの表側に取り付けられるようになっている。
【００６４】
なお、このフック部１７を形成する素材は、優れた耐熱性および耐久性を備えた平板形状のものであることが好ましく、基部２Ｄの基材と一体に形成されたものであってもよい。また、本実施形態では、フック部１７の両端が基部２Ｄの上部に結合されているが、これに限定されず、一端のみが基部２Ｄの上部に結合されていてもよい。
【００６５】
以上のような構成からなる本実施形態に係る表示体１Ｄでは、ドア７Ｄが磁石３の吸着力を適用できない非磁性体の場合でも、フック部１７をドアノブ１１に掛けることによって基部２Ｄをドア７Ｄの表側に取り付けることができる。すなわち、本実施形態に係る表示体１Ｄによれば、簡単な構成からなるドアノブ１１への取付手段を設けたことにより、上述した第１実施形態と同様の作用効果が得られることはもとより、ドア７Ｄが磁性体であるか否かに関わらず、基部２Ｄの標記部４を表にした状態でドア７Ｄの表側に取り付けることができるので、ドアノブ１１などの突起物を有するドアであれば、あらゆる種類のドアに取り付けることができる。
【００６６】
なお、本実施形態に係る表示体１Ｄでは、基部２Ｄの裏面に磁石３が設けられているものとしたが、これに限定されず、非磁性体のドアへの取付を対象とするのであれば、基部２Ｄの裏面に磁石３が設けられていなくてもよい。
【００６７】
以上、本発明の実施形態について具体的に説明してきたが、本発明はこれに限定されるものではなく、その趣旨を逸脱しない範囲で適宜変更可能である。
【図面の簡単な説明】
【００６８】
【図１】本発明の実施形態に係る表示体の表側を示す平面図である。
【図２】本発明の実施形態に係る表示体の裏側を示す平面図である。
【図３】図２中のIII−III線に沿った表示体の断面図である。
【図４】本発明の実施形態に係る表示体がドアの裏側に取り付けられた通常時の状態を示す説明図である。
【図５】本発明の実施形態に係る表示体がドアの表側に取り付けられた脱出済の状態を示す説明図である。
【図６】本発明の第２実施形態に係る表示体の裏側を示す平面図である。
【図７】図６中のVII−VII線に沿った表示体の断面図である。
【図８】本発明の第３実施形態に係る表示体の表側を示す平面図である。
【図９】図８の表示体がドアの表側に取り付けられた脱出済の状態を示す説明図である。
【図１０】本発明の第４実施形態に係る表示体の表側を示す平面図である。
【図１１】図１０の表示体がドアの表側に取り付けられた脱出済の状態を示す説明図である。
【図１２】本発明の第５実施形態に係る表示体の表側を示す平面図である。
【図１３】図１２の表示体がドアの表側に取り付けられた脱出済の状態を示す説明図である。
【符号の説明】
【００６９】
１，１Ａ，１Ｂ，１Ｃ，１Ｄ・・・表示体
２，２Ａ，２Ｂ，２Ｃ，２Ｄ・・・基部
２ａ・・・係合穴
２ｂ・・・雌ネジ溝
２Ａｃ・・・ネジ穴
３，３Ａ・・・磁石
３ａ・・・雄ネジ溝
３Ａｃ・・・ネジ挿通孔
４・・・標記部
５・・・変色部
６・・・家屋
７，７Ｃ，７Ｄ，７Ｅ・・・ドア
８・・・ネジ
９・・・貫通孔
１０・・・紐
１１・・・ドアノブ
１２・・・係止部
１７・・・フック部
Ｘ・・・家屋から脱出済みであること示す標記
Ｙ・・・行政上の区画名または地方公共団体名を示す標記
【図１】
2008292668.tif 000003
【図２】
2008292668.tif 000004
【図３】
2008292668.tif 000005
【図４】
2008292668.tif 000006
【図５】
2008292668.tif 000007
【図６】
2008292668.tif 000008
【図７】
2008292668.tif 000009
【図８】
2008292668.tif 000010
【図９】
2008292668.tif 000011
【図１０】
2008292668.tif 000012
【図１１】
2008292668.tif 000013
【図１２】
2008292668.tif 000014
【図１３】
2008292668.tif 000015